(57)【特許請求の範囲】
【請求項１】
正面側で映像を表示する表示パネルと、該表示パネルの正面側に配置される枠状のフロントキャビネットと、前記表示パネルの背面側に配置されるリアキャビネットと、該リアキャビネットを螺着するために前記フロントキャビネットの背面に設けられたボスと、前記フロントキャビネットの背面に配される線材とを備える表示装置において、
前記ボスは、前記線材を係止する係止部を有し、
前記係止部は、
前記フロントキャビネットの背面の面方向に突出し、前記線材の正背方向の移動を抑止する第１抑止部と、
該第１抑止部の先端部に前記フロントキャビネットの背面に向かうように設けられ、前記線材の前記面方向の移動を抑止する第２抑止部と
を備えることを特徴とする表示装置。
【請求項２】
前記第２抑止部の外面は、前記フロントキャビネットの背面に向かって傾斜していることを特徴とする請求項１に記載の表示装置。
【請求項３】
前記第１抑止部の外面に、該第１抑止部の突出方向に延びるリブを備えることを特徴とする請求項１又は２に記載の表示装置。
【請求項４】
前記ボスは台座を備え、
前記第１抑止部は前記台座に設けられていることを特徴とする請求項１から３までのいずれか１項に記載の表示装置。
【請求項５】
前記台座は、中空であり、側面の一部に開口部を有し、
前記第１抑止部は、前記台座の前記開口部に前記面方向で隣接する部分に設けられ、
前記台座の前記第１抑止部の内側の側面も開口していることを特徴とする請求項４に記載の表示装置。
【請求項６】
請求項１から５までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、例えばスピーカ、基板等の配線を保持する線整形構造をフロントキャビネットに備えた表示装置、及び該表示装置を備えたテレビジョン受信機に関する。
【背景技術】
【０００２】
例えば液晶テレビジョン受信機等のテレビジョン受信機は、正面側で映像を表示する表示パネル及びバックライトユニットを有する表示モジュールと、表示モジュールの正面側に配置される矩形枠状のフロントキャビネットと、表示パネルの背面側に配置されるリアキャビネットとを備えている。リアキャビネットはフロントキャビネットの背面に設けられたボスに螺着されている。バックライトユニットは表示パネルの背面側に配され、光学シート、導光板、及びＬＥＤ基板をシャーシに収納してなる。
【０００３】
通常、フロントキャビネットの背面の下側の長辺部分には、スピーカ、及び発光ダイオード用基板，ＷｉＦｉ基板，リモートコントロール受光用の基板等の小基板が取り付けられている。そして、シャーシの背面に、チューナ及びＣＰＵ（Central Processing Unit）等が搭載されたメイン基板が設けられており、前記スピーカ、小基板、及びメイン基板間はハーネス（線材）により接続されている。
【０００４】
このハーネスをフロントキャビネットに保持（線整形）するために、フロントキャビネットの長辺部分に可能な限り、フック及びリブを設けたり、フック及びリブ等の形成が不可能な部分にはＷＨ（ワイヤーホルダ）及びテープを直接貼り付けたりしてハーネスを固定し、フロントキャビネットをリアキャビネットに螺合する場合等にハーネスが動いてボス等に線噛み（ハーネス破損）が生じるのを防止している。
【０００５】
特許文献１には、フロントキャビネットに設けられている板状のリブに、該リブの頂面から基端側へ窪み、導線が嵌入される嵌入溝を設け、該嵌入溝の内面に、該嵌入溝の窪み方向に沿う溝を設け、該溝に割型及び入れ子の型合わせ面が位置するようにリブを成形するようにし、割型及び入れ子の型合わせ面にて生じる尖鋭縁及びバリを溝内に生じさせるようにした表示装置の発明が開示されている。この表示装置によれば、リブによって導線が損傷することが抑制されている。
【先行技術文献】
【特許文献】
【０００６】
【特許文献１】特開２０１０−２３８７７６号公報
【発明の概要】
【発明が解決しようとする課題】
【０００７】
製品デザイン仕様上、前記長辺部分に穴を設けるのは好ましくない、長辺部分の高さ方向の幅が狭く、フック及びリブ等の線整形部品を形成しにくい、該線整形部品を追加した場合には製品の表面にヒケ等の外観不良が発生する虞がある、金型の構造上、傾斜コアを追加するのが困難である等の制約があり、線整形用としてフック及び特許文献１等のリブを新規に設けることが困難であるという問題がある。
結果として、複数箇所にＷＨ及びテープを貼着することによって、ハーネスを固定することになるが、作業が煩雑であり、作業コスト及び部品コストも高くなるという問題があった。
【０００８】
本発明は斯かる事情に鑑みてなされたものであり、作業性良好に、安価に線材をフロントキャビネットに係止することができ、フロントキャビネットにリアキャビネットを螺合して組み立てる場合にボス等に線材が噛み込むことが良好に抑制された表示装置、及び該表示装置を備えるテレビジョン受信機を提供することを目的とする。
【課題を解決するための手段】
【０００９】
本発明に係る表示装置は、正面側で映像を表示する表示パネルと、該表示パネルの正面側に配置される枠状のフロントキャビネットと、前記表示パネルの背面側に配置されるリアキャビネットと、該リアキャビネットを螺着するために前記フロントキャビネットの背面に設けられたボスと、前記フロントキャビネットの背面に配される線材とを備える表示装置において、前記ボスは、前記線材を係止する係止部を有し、前記係止部は、前記フロントキャビネットの背面の面方向に突出し、前記線材の正背方向の移動を抑止する第１抑止部と、該第１抑止部の先端部に前記フロントキャビネットの背面に向かうように設けられ、前記線材の前記面方向の移動を抑止する第２抑止部とを備えることを特徴とする。
【００１０】
本発明においては、線材を係止部に係止することで線材を容易に保持することができ、ＷＨ及びテープを貼着して線材を固定する場合と比較して、作業性が良好であり、作業コスト及び部品コストも低減する。そして、ボスに線材を係止する係止部が備えられているので、フロントキャビネットにリアキャビネットを螺着するときに、線材の動きを抑止した状態でボス等に線材が噛み込まれることを良好に防止することができる。また、傾斜コアを追加せずに成形できるようにすることで、金型投資を抑制することもできる。
そして、線材のフロントキャビネットの面方向及び正背方向の移動が良好に抑止される。
【００１３】
本発明に係る表示装置は、前記第２抑止部の外面は、前記フロントキャビネットの背面に向かって傾斜していることを特徴とする。
【００１４】
本発明においては、線材を挿入し易い。
【００１５】
本発明に係る表示装置は、前記第１抑止部の外面に、該第１抑止部の突出方向に延びるリブを備えることを特徴とする。
【００１６】
本発明においては、第１抑止部の撓み強度が良好であり、線材が外れにくい。
【００１７】
本発明に係る表示装置は、前記ボスは台座を備え、前記第１抑止部は前記台座に設けられていることを特徴とする。
【００１８】
本発明においては、フロントキャビネットの背面寄りで線材の動きを良好に抑止することができ、ボスに線噛みが生じるのがより抑制される。
【００１９】
本発明に係る表示装置は、前記台座は、中空であり、側面の一部に開口部を有し、前記第１抑止部は、前記台座の前記開口部に前記面方向で隣接する部分に設けられ、前記台座の前記第１抑止部の内側の側面も開口していることを特徴とする。
【００２０】
本発明においては、傾斜コアを追加せずに、係止部を成形することができる。そして、新たに線整形部品を追加する場合のように、表示装置の表面にヒケ等の外観不良が発生する虞がない。
【００２１】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【００２２】
本発明においては、組み立ての作業性が良好であり、コストも低減することができる。
【発明の効果】
【００２３】
本発明の表示装置によれば、線材を係止部に係止することで線材を容易に保持することができ、ＷＨ及びテープを貼着して線材を固定する場合と比較して、作業性が良好であり、作業コスト及び部品コストも低減する。そして、ボスに線材を係止する係止部が備えられているので、フロントキャビネットにリアキャビネットを螺着するときに、線材の動きを抑止してボス等に線材が噛み込まれるのを良好に防止することができる。また、傾斜コアを追加せずに成形できるようにすることで、金型投資を抑制することもできる。
【図面の簡単な説明】
【００２４】
【図１】本発明の実施の形態に係るＴＶ受信機を模式的に示す斜視図である。
【図２】本発明の実施の形態に係るＴＶ受信機を示す裏面図である。
【図３】図２のIII −III 線断面斜視図である。
【図４】図３の一部拡大図である。
【図５】本発明の実施の形態に係るフロントキャビネットを示す正面図である。
【図６】本発明の実施の形態に係るフロントキャビネットを示す裏面図である。
【図７】本発明の実施の形態に係るリアキャビネットを示す裏面図である。
【図８】本発明の実施の形態に係るボスを示す拡大平面図である。
【図９】本発明の実施の形態に係るボスを示す拡大斜視図である。
【図１０】本発明の実施の形態に係るボスを示す拡大側面図である。
【図１１】本発明の実施の形態に係るボスの成形時に傾斜コアを用いる状態を示す模式的斜視図である。
【図１２】本発明の実施の形態に係るフロントキャビネットの基板取付部にスピーカ、基板、及びスイッチを取り付けた状態を示す斜視図である。
【図１３】本発明の実施の形態に係るボスの係止部によりハーネスが係止された状態を示す拡大斜視図である。
【図１４】本発明の実施の形態に係るボスの係止部によりハーネスが係止された状態を示す拡大側面図である。
【図１５】他のボスを示す側面図である。
【発明を実施するための形態】
【００２５】
以下、本発明をその実施の形態を示す図面に基づいて具体的に説明する。
図１は本発明に係るテレビジョン受信機（以下、ＴＶ受信機という）１を模式的に示す斜視図、図２はＴＶ受信機１を示す裏面図、図３は図２のIII −III 線断面斜視図、図４は図３の一部拡大図、図５はフロントキャビネット２の正面図、図６はフロントキャビネット２の裏面図、図７はリアキャビネット３の裏面図である。なお、図５及び図６においては、基板及びハーネスを省略している。
ＴＶ受信機１は、表示パネル及びバックライトユニットを含む表示モジュール３と、該表示モジュール３を挾むようにして収容する合成樹脂製のフロントキャビネット２及びリアキャビネット４と、スタンド５と、正面下部に設けられた２個のスピーカ８とを備える。表示モジュール３は、全体として横長の略直方体状をなし、縦置き状態でフロントキャビネット２及びリアキャビネット４内に収容されている。
【００２６】
フロントキャビネット２は、矩形枠状をなし、表示モジュール３の外縁部を覆う枠部２２と、該枠部２２の下側の長辺にＴＶ受信機１の後ろ側に斜めに突出するように設けられ、基板が取り付けられる基板取付部２１とを備える。
基板取付部２１には、リアキャビネット４を螺着するためのボス２３及びボス２４が複数設けられている。ボス２３は基板取付部２１の長手方向の端部側に設けられ、ボス２４は搭長手方向の中央部側に設けられている。ボス２４は、後述するようにハーネス（線材）７を係止する係止部２４５を備える。
【００２７】
リアキャビネット４は、表示モジュール３の側面及び背面を覆うように箱状をなしている。リアキャビネット４は、図２の右側に、入力端子、出力端子、アンテナ入力端子、ＵＳＢ端子、ヘッドホン端子、及びＢ−ＣＡＳカード挿入口等が設けられた２つの端子パネル４１と、複数の放熱スリット４２とを備える。
そして、周縁部には、複数のビス挿通孔４４が設けられ、該ビス挿通孔４４にビス４３を挿通して、前記ボス２３，２４にネジ止めされるように構成されている。
【００２８】
図４に示すように、表示モジュール３は、液晶表示パネル３１と、光学シート３２と、導光板３３と、シャーシ３４と、ＬＥＤ基板３５とを備える。光学シート３２、導光板３３、シャーシ３４、及びＬＥＤ基板３５によりバックライトユニットが構成される。表示動作の際には、導光板３３から面状の光が出射され、その光によって液晶表示パネル３１の背面が照明される。
液晶表示パネル３１は、液晶層と、一対のガラス基板と、偏光板とを有する。一対のガラス基板はシール材を挟んで互いに貼り合わされており、その間に液晶層が挟持されている。そして、偏光板は、一対のガラス基板の液晶層側とは反対側の面上にそれぞれ配されている。
【００２９】
シャーシ３４は、液晶表示パネル３１側が開口された略箱状をなす。そして、シャーシ３４に、光学シート３２、導光板３３、及びＬＥＤ基板３５が収納される。
シャーシ３４の裏面には、チューナ及びＣＰＵ等を備えるメイン基板が設けられている（図示せず）。
【００３０】
導光板３３は矩形板状をなし、液晶表示パネル３１側に対向する主面と、主面の反対面でシャーシ３４に対向する裏面と、一対の長側面と、一対の短側面とを有する。そして、一方の長側面が、導光板３３内に光を導入するための光入射面として機能し、該長側面から導光板３３内へ導入された光は、導光板３３の主面から液晶表示パネル３１側に向かって出射する。
【００３１】
光学シート３２は、拡散シート、レンズシート及びＤＢＥＦシート（反射型偏光シート）等を含むシート群であり、導光板３３の主面上に載置されている。そして、この光学シート３２によって、導光板３３の主面から出射された光の拡散及び集光等が行われる。
【００３２】
ＬＥＤ基板３５は、導光板３３内へ導入する光を生成するためのものであり、導光板３３の長側面側に配されている。ＬＥＤ基板３５の基板本体の平面に、複数のＬＥＤが実装されている。ＬＥＤ基板３５は、導光板３３の主面の長辺に沿って延び、複数のＬＥＤが導光板３３の長側面と対向するように配される。
【００３３】
図８はボス２４を示す拡大平面図、図９はボス２４を示す拡大斜視図、図１０はボス２４を示す拡大側面図である。
ボス２４は、平面視が矩形状をなす台座２４１と、台座２４１の平面に設けられた筒状のボス本体２４２と、台座２４１の平面に連設された係止部２４５とを備える。
ボス本体２４２の内面には雌ねじが設けられており、リアキャビネット４のビス挿通孔４４を挿通されたビス４３がボス本体２４２の雌ねじに螺着される。
【００３４】
係止部２４５は、基板取付部２１の面方向に突出した第１抑止部２４３と、第１抑止部２４３の先端部に基板取付部２１に向かうように設けられた第２抑止部２４４とを備える。係止部２４５は、全体として側面視が略Ｌ字状をなす。
台座２４１は、中空であり、側面の一部（図８の右側）に開口部２４１ａを有している。第１抑止部２４３は、台座２４１の開口部２４１ａに前記面方向で隣接する部分に設けられており、台座２４１の第１抑止部２４３の内側の側面も開口している。
開口部２４１ａ及び前記第１抑止部２４３の内側の開口部を除き、台座２４１は縦断面視が略コの字状をなす側壁部分を備えているので、強度は良好である。
また、第１抑止部２４３の外面にはリブ２４６が設けられており、撓み強度が良好である。
【００３５】
図１１は、ボス２４の成形時に傾斜コア２０を用いる状態を示す模式的斜視図である。なお、フロントキャビネット２の正面側及び背面側に対応する割型は省略している。
従来、台座はヒケ発生の防止、重量増加の防止の観点から中空にしており、基板取付部２１の長手方向にスライドする傾斜コアによって成形されていた。本実施の形態においては、台座２４１を成形する傾斜コア２０を用いて、同時に係止部２４５を成形するようにしている。傾斜する傾斜コア２０はボス２４の内面側の形状（空洞部分）に一致する形状を有しており、該空洞部分を形成すべく、フロントキャビネット２の成形時に傾斜コア２０を用いる。図１１Ａは割型を開いた後の状態を示し、図１１Ｂは傾斜コア２０を抜いた状態を示している。
以上のように構成されているので、本実施の形態においては、傾斜コア２０を追加せずに、係止部２４５を成形することができる。そして、新たに線整形部品を追加する場合のように、表示装置の表面にヒケ等の外観不良が発生する虞がない。
【００３６】
図１２は、フロントキャビネット２の基板取付部２１にスピーカ８、基板９，１０、及びスイッチ１１を取り付けた状態を示す斜視図である。
基板取付部２１の両端側に、それぞれ端部から２個のボス２３の間に、スピーカ８が取り付けられている。そして、基板取付部２１の図１２の中央部、及び中央部のやや右よりに基板９，１０がそれぞれ設けられている。図１２の左側の短辺の下端部にはスイッチ１１が設けられている。
スイッチ１１と左側のスピーカ８との間、該スピーカ８と基板９との間はハーネス７により接続されている。そして、ハーネス７は基板９の右側から延出し、右側のスピーカ８から延出したハーネス７と合流して、シャーシ３４に設けられたメイン基板に接続されている。図１２に示すように、ハーネス７は、ボス２４の係止部２４５に係止されている。
【００３７】
図１３はボス２４の係止部２４５によりハーネス７が係止された状態を示す拡大斜視図、図１４はボス２４の係止部２４５によりハーネス７が係止された状態を示す拡大側面図である。
ＴＶ受信機１の組み立て時に、作業者は、ハーネス７を係止部２４５の下側から差し込み、第２抑止部２４４にハーネス７を係止する。ＷＨ及びテープを貼着してハーネス７を固定する場合と比較して、作業性が良好であり、作業コスト及び部品コストも低減する。  以上のように係止部２４５が構成されているので、ハーネス７のＴＶ受信機１の前後方向の移動が第１抑止部２４３により抑止され、ハーネス７のフロントキャビネット２の面方向の移動が抑止されている。一端、ハーネス７が係止部２４５に係止された場合、人為的に第１抑止部２４３を撓ませて取り出さない限り、ハーネス７が外れることが抑制されている。第１抑止部２４３にはリブ２４６が設けられているので、第１抑止部２４３は反りにくくなっている。
【００３８】
以上のようにハーネス７がボス２４の係止部２４５に保持されているので、本実施の形態においては、フロントキャビネット２にリアキャビネット４を螺着するとき等のＴＶ受信機１の組み立て時に、ハーネス７の動きを抑止した状態でボス２４等にハーネス７が噛み込まれるのを良好に防止することができる。
【００３９】
図１５は、他のボス２５を示す側面図である。図中、図１４と同一部分は同一符号を付して詳細な説明を省略する。
ボス２５は、平面視が矩形状をなす台座２５１と、台座２５１の平面に設けられた筒状のボス本体２５２と、台座２５１の平面に連設された係止部２５５とを備える。
係止部２５５は、基板取付部２１の面方向に突出した第１抑止部２５３と、第１抑止部２５３の先端部に基板取付部２１に向かうように設けられた第２抑止部２５４とを備える。
図１５に示すように、第２抑止部２５４は、フロントキャビネット２の背面（内面）に向かって内側に傾斜している。従って、ハーネス７を第１抑止部２５３の内面側に案内し易く、作業性が良好である。
【００４０】
なお、ボス２４及びボス２５の形状、フロントキャビネット２上の配置位置、個数等は前記実施の形態において説明した場合に限定されない。
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【００４１】
１  ＴＶ受信機
２  フロントキャビネット
２１  基板取付部
２２  枠部
２３、２４、２５  ボス
２４１、２５１  台座
２４２、２５２  ボス本体
２４３、２５３  第１抑止部
２４４、２５４  第２抑止部
２４５、２５５  係止部
３  表示モジュール
３１  液晶表示パネル
３２  光学シート
３３  導光板
３４  シャーシ
３５  ＬＥＤ基板
４  リアキャビネット
４１  端子パネル
４２  放熱スリット
４３  ビス
４４  ビス挿通孔
７  ハーネス
８  スピーカ
９、１０  基板
【要約】
【課題】作業性良好に、安価に線材をフロントキャビネットに係止することができ、フロントキャビネットにリアキャビネットを螺合する場合にボス等に線材が噛み込むことが良好に抑制された表示装置、及び該表示装置を備えるテレビジョン受信機を提供する。
【解決手段】フロントキャビネット２の枠部２２の下側に斜めに突出した基板取付部２１には、ボス２４が設けられている。ボス２４は、縦断面視が略コの字状をなす台座２４１と、台座２４１の平面に設けられた筒状のボス本体２４２と、台座２４１の平面に連設された係止部２４５とを備える。係止部２４５は、基板取付部２１の面方向に突出した第１抑止部２４３と、第１抑止部２４３の先端部に基板取付部２１に向かうように設けられた第２抑止部２４４とを備える。係止部２４５にハーネス７が係止される。
【選択図】図１３【図１】
0005166613.tif 000002
【図２】
0005166613.tif 000003
【図３】
0005166613.tif 000004
【図４】
0005166613.tif 000005
【図５】
0005166613.tif 000006
【図６】
0005166613.tif 000007
【図７】
0005166613.tif 000008
【図８】
0005166613.tif 000009
【図９】
0005166613.tif 000010
【図１０】
0005166613.tif 000011
【図１１】
0005166613.tif 000012
【図１２】
0005166613.tif 000013
【図１３】
0005166613.tif 000014
【図１４】
0005166613.tif 000015
【図１５】
0005166613.tif 000016